【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
同色コーディングで、かつ、互いに画素共有のない画素を含むように構成された複数画素群と、
前記複数画素群がベイヤ配列されてなるカラーフィルタと
を備える固体撮像装置。
【請求項２】
前記複数画素群は、互いに画素共有のない画素で構成されている
請求項１に記載の固体撮像装置。
【請求項３】
前記画素共有の単位は、２×２画素である
請求項２に記載の固体撮像装置。
【請求項４】
前記複数画素群は、互いに画素共有のない画素を、その構成の少なくとも半分含むように構成されている
請求項１に記載の固体撮像装置。
【請求項５】
前記画素共有の単位は、２×４画素である
請求項４に記載の固体撮像装置。
【請求項６】
前記画素共有の単位は、１×４画素である
請求項４に記載の固体撮像装置。
【請求項７】
前記画素共有の単位内で発生した欠陥画素は、前記複数画素群内の画素を用いて補正される
請求項１に記載の固体撮像装置。
【請求項８】
前記複数画素群は、４画素で構成される
請求項１に記載の固体撮像装置。
【請求項９】
前記色コーディングは、原色市松のコーディングである
請求項１に記載の固体撮像装置。
【請求項１０】
前記色コーディングは、WRGBのコーディングである
請求項１に記載の固体撮像装置。
【請求項１１】
同色コーディングで、かつ、互いに画素共有のない画素を含むように構成された複数画素群と、前記複数画素群がベイヤ配列されてなるカラーフィルタとを備える固体撮像装置から出力される出力信号において、前記画素共有の単位内で発生した欠陥画素を、前記複数画素群内の画素を用いて補正する補正処理部を
備える信号処理装置。
【請求項１２】
前記補正処理部は、前記画素共有の単位内で発生した欠陥画素を、前記画素共有の単位内で発生した欠陥画素の個数に応じて、前記複数画素群内の画素を用いて補正する
請求項１１に記載の信号処理装置。
【請求項１３】
前記補正処理部は、前記画素共有の単位内で発生した欠陥画素を、前記複数画素群内のすべての画素を用いて補正する
請求項１１に記載の信号処理装置。
【請求項１４】
前記補正処理部は、前記画素共有の単位内で発生した欠陥画素を、前記画素共有の単位内で発生した欠陥画素の蓄積時間に応じて、前記複数画素群内のデータを用いて補正する
請求項１１に記載の信号処理装置。
【請求項１５】
同色コーディングで、かつ、互いに画素共有のない画素を含むように構成された複数画素群と、前記複数画素群がベイヤ配列されてなるカラーフィルタとを備える固体撮像装置と、
入射光を前記固体撮像装置に入射する光学系と、
前記固体撮像装置から出力される出力信号を処理する信号処理回路と
を有する電子機器。
【手続補正２】
【補正対象書類名】明細書
【補正対象項目名】００１２
【補正方法】変更
【補正の内容】
【００１２】
前記画素共有の単位内で発生した欠陥画素は、前記複数画素群内の画素を用いて補正される。
【手続補正３】
【補正対象書類名】明細書
【補正対象項目名】００１６
【補正方法】変更
【補正の内容】
【００１６】
本技術の第２の側面の信号処理装置は、同色コーディングで、かつ、互いに画素共有のない画素を含むように構成された複数画素群と、前記複数画素群がベイヤ配列されてなるカラーフィルタとを備える固体撮像装置から出力される出力信号において、前記画素共有の単位内で発生した欠陥画素を、前記複数画素群内の画素を用いて補正する補正処理部を備える。
【手続補正４】
【補正対象書類名】明細書
【補正対象項目名】００１７
【補正方法】変更
【補正の内容】
【００１７】
前記補正処理部は、前記画素共有の単位内で発生した欠陥画素を、前記画素共有の単位内で発生した欠陥画素の個数に応じて、前記複数画素群内の画素を用いて補正することができる。
【手続補正５】
【補正対象書類名】明細書
【補正対象項目名】００１８
【補正方法】変更
【補正の内容】
【００１８】
前記補正処理部は、前記画素共有の単位内で発生した欠陥画素を、前記複数画素群内のすべての画素を用いて補正することができる。
【手続補正６】
【補正対象書類名】明細書
【補正対象項目名】００１９
【補正方法】変更
【補正の内容】
【００１９】
前記補正処理部は、前記画素共有の単位内で発生した欠陥画素を、前記画素共有の単位内で発生した欠陥画素の蓄積時間に応じて、前記複数画素群内のデータを用いて補正することができる。
【手続補正７】
【補正対象書類名】明細書
【補正対象項目名】００２２
【補正方法】変更
【補正の内容】
【００２２】
本技術の第２の側面においては、同色コーディングで、かつ、互いに画素共有のない画素を含むように構成された複数画素群と、前記複数画素群がベイヤ配列されてなるカラーフィルタとを備える固体撮像装置から出力される出力信号において、前記画素共有の単位内で発生した欠陥画素が、前記複数画素群内の画素を用いて補正される。
【手続補正８】
【補正対象書類名】明細書
【補正対象項目名】００２８
【補正方法】変更
【補正の内容】
【００２８】
＜０．固体撮像装置の概略構成例＞
＜固体撮像装置の概略構成例＞
図１は、本技術の各実施の形態に適用されるCMOS（Complementary Metal Oxide Semiconductor）固体撮像装置の概略構成例を示している。
【手続補正９】
【補正対象書類名】明細書
【補正対象項目名】００３１
【補正方法】変更
【補正の内容】
【００３１】
また、画素２は、画素共有構造とすることもできる。画素共有構造は、例えば、図３を参照して後述されるが、複数のフォトダイオード、複数の転送トランジスタ、共有される１つのフローティングディフュージョン、および、共有される１つずつの他の画素トランジスタから構成される。
【手続補正１０】
【補正対象書類名】明細書
【補正対象項目名】００５５
【補正方法】変更
【補正の内容】
【００５５】
図６の例において、画素共有単位の２×２画素の各画素は、太線に示されるように、それぞれ異なるカラーフィルタでコーディングされている。換言するに、同一カラーフィルタのコーディング単位の４画素は、異なる画素共有単位の画素で構成されている。すなわち、同一カラーフィルタのコーディング単位の４画素（以下、適宜、同色の隣接４画素とも称する）は、互いに画素共有のない画素で構成されている。
【手続補正１１】
【補正対象書類名】明細書
【補正対象項目名】００９７
【補正方法】変更
【補正の内容】
【００９７】
図１２のＤＳＰ回路１０３は、蓄積時間メモリ１９１が追加された点、画素判定部１５２が画素判定部１９２に入れ替わった点が、図８のＤＳＰ回路１０３と異なっている。図１２のＤＳＰ回路１０３は、欠陥画素アドレスメモリ１５１、メモリ部１５３、および補正処理部１５４を備える点が、図８のＤＳＰ回路１０３と共通している。
【手続補正１２】
【補正対象書類名】明細書
【補正対象項目名】０１１２
【補正方法】変更
【補正の内容】
【０１１２】
以上のように、画素共有単位内でフローティングディフュージョン部のリークなどで白点が発生しても、異画素共有単位の同じ色の画素で白色補正が可能になる。空間的に近いので、空間的に遠い場合よりも、画像劣化を抑えることができる。
【手続補正１３】
【補正対象書類名】明細書
【補正対象項目名】０１２６
【補正方法】変更
【補正の内容】
【０１２６】
＜本技術の画素共有単位とCFコーディング単位との関係＞
図１８は、本技術を適用した画素共有単位とカラーフィルタ(CF)のコーディングの単位との関係を示す図である。図１８の例においては、太線に示されるように、２×４画素共有の例が示されており、また、実線に示されるように、４画素毎に同じカラーフィルタをRGB市松コーディング(ベイヤ配列)した例が示されている。
【手続補正１４】
【補正対象書類名】明細書
【補正対象項目名】０１２７
【補正方法】変更
【補正の内容】
【０１２７】
図１８の例において、画素共有単位の２×４画素の上２つの画素と下２つの画素は、図１８の太線に示されるように、それぞれ異なるカラーフィルタでコーディングされている。画素共有単位の２×４画素の中央４つの画素は、図１８の太線に示されるように、２画素ずつ同じカラーフィルタでコーディングされている。換言するに、同一カラーフィルタのコーディング単位の４画素は、互いに画素共有のない画素を含むように構成されている。すなわち、同一カラーフィルタのコーディング単位の４画素は、異なる画素共有単位の画素を、その構成の少なくとも半分含むように構成されている。
【手続補正１５】
【補正対象書類名】明細書
【補正対象項目名】０１３５
【補正方法】変更
【補正の内容】
【０１３５】
図１９の例において、画素共有単位の２×４画素の各画素は、図１８の画素共有単位の中央４つの画素の場合と同様に、図１９の太線に示されるように、２画素ずつ、同じカラーフィルタでコーディングされている。換言するに、同一カラーフィルタのコーディング単位の４画素は、互いに画素共有のない画素を含むように構成されている。すなわち、同一カラーフィルタのコーディング単位の４画素は、異なる画素共有単位の画素を、その構成の少なくとも半分含むように構成されている。
【手続補正１６】
【補正対象書類名】明細書
【補正対象項目名】０１５２
【補正方法】変更
【補正の内容】
【０１５２】
図２２の例において、画素共有単位の１×４画素の上１つの画素と下１つの画素は、図２２の太線に示されるように、異なるカラーフィルタでコーディングされている。画素共有単位の１×４画素の中央２つの画素は、図２２の太線に示されるように、同じカラーフィルタでコーディングされている。換言するに、同一カラーフィルタのコーディング単位の４画素は、互いに画素共有のない画素を含むように構成されている。すなわち、同一カラーフィルタのコーディング単位の４画素は、異なる画素共有単位の画素を、その構成の少なくとも半分含むように構成されている。
【手続補正１７】
【補正対象書類名】明細書
【補正対象項目名】０１５７
【補正方法】変更
【補正の内容】
【０１５７】
図２３の例において、画素共有単位の１×４画素の各画素は、図２２の画素共有単位の中央２つの画素の場合と同様に、図２３の太線に示されるように、２画素ずつ、同じカラーフィルタでコーディングされている。換言するに、同一カラーフィルタのコーディング単位の４画素は、互いに画素共有のない画素を含むように構成されている。すなわち、同一カラーフィルタのコーディング単位の４画素は、異なる画素共有単位の画素を、その構成の少なくとも半分含むように構成されている。